(57)【要約】【解決手段】  繰出容器（Ａ）、回転駆動機構（Ｂ）、往復駆動機構（Ｃ）及び、開閉駆動機構（Ｄ）を含んで構成される繰出容器の開閉装置であって、装置全体の機能として、回転体（Ｒ）を把持体（Ｈ）に対して順回転方向に回転させたときには、蓋（６）が開放されつつ被繰出物（１８）が繰出され、回転体（Ｒ）を把持体（Ｈ）に対して逆回転方向に回転させたときには、蓋（６）が閉止されつつ被繰出物（１８）が繰り戻される機能を有する繰出容器の開閉装置。【効果】  便利で蓋紛失防止性がある。各種の繰出容器に広く汎用できる。省資源・省エネルギー・廃棄物削減に寄与する。【選択図】  図４
2010178917.tif 000002
【特許請求の範囲】
【請求項１】
繰出容器（Ａ）、回転駆動機構（Ｂ）、往復駆動機構（Ｃ）及び、開閉駆動機構（Ｄ）を含んで構成される繰出容器の開閉装置であって、
繰出容器（Ａ）は、
回転部（１ｂ）を本体（１ａ）に対して順回転方向に回転させたときに被繰出物（１８）を繰出容器（Ａ）の外部に繰り出す機能と、
回転部（１ｂ）を本体（１ａ）に対して逆回転方向に回転させたときに被繰出物（１８）を繰出容器（Ａ）の内部に繰り戻す機能を併せ有するものであって、
回転駆動機構（Ｂ）は、
回転体（Ｒ）を把持体（Ｈ）に対して順回転方向に回転させたときに被繰出物（１８）を繰出容器（Ａ）の開口部（２１）の外部に繰り出す機構と、
回転体（Ｒ）を把持体（Ｈ）に対して逆回転方向に回転させたときに被繰出物（１８）を繰出容器（Ａ）の開口部（２１）の内部に繰り戻す機構を有するものであって、
前記把持体（Ｈ）は、把持体外側モジュール（２）と中筒（１３）との間に隙間（Ｓ１）を保持しつつ両者を固定して構成され、
前記回転体（Ｒ）は、回転体内側モジュール（４）と回転体外側モジュール（５）との間に隙間（Ｓ２）を保持しつつ両者を固定して構成され、
回転体内側モジュール（４）の圧接部（４３）は、繰出容器（Ａ）の回転部（１ｂ）を圧接することにより、回転体内側モジュール（４）と繰出容器（Ａ）の回転部（１ｂ）を一体として固定するものであって、
往復駆動機構（Ｃ）は、
回転体（Ｒ）を把持体（Ｈ）に対して順回転方向に回転させたときに回転体（Ｒ）と連動している環状はすば歯車（７）が順回転方向に回転し、歯車側はすば（７１）と噛み合っているラック側はすば（６３）が蓋（６）開放方向に線状に移動する機構と、
回転体（Ｒ）を把持体（Ｈ）に対して逆回転方向に回転させたときに回転体（Ｒ）と連動している環状はすば歯車（７）が逆回転方向に回転し、歯車側はすば（７１）と噛み合っているラック側はすば（６３）が蓋（６）閉止方向に線状に移動する機構を有するものであり、
開閉駆動機構（Ｄ）は、
環状はすば歯車（７）が順回転方向に回転したときに歯車側はすば（７１）と噛み合っているラック側はすば（６３）が蓋開放方向に線状に移動することにより可撓性を有する舌部（６１）が変形しつつ隙間（Ｓ１）に収納されて前記開口部（２１）が開放される機構と、
環状はすば歯車（７）が逆回転方向に回転したときに歯車側はすば（７１）と噛み合っているラック側はすば（６３）が蓋閉止方向に線状に移動することにより可撓性を有する舌部（６１）が変形しつつ隙間（Ｓ１）から引き出されて前記開口部（２１）が閉止される機構を有するものであって、
装置全体の機能として、
前記回転体（Ｒ）を把持体（Ｈ）に対して順回転方向に回転させたときには、蓋（６）が開放されつつ被繰出物（１８）が連動して繰り出され、
前記回転体（Ｒ）を把持体（Ｈ）に対して逆回転方向に回転させたときには、蓋（６）が閉止されつつ被繰出物（１８）が連動して繰り戻される機能を有するものであることを特徴とする繰出容器の開閉装置。
【請求項２】
繰出容器（Ａ）、回転駆動機構（Ｂ）、往復駆動機構（Ｃ）及び、開閉駆動機構（Ｄ）を含んで構成される繰出容器の開閉装置であって、
繰出容器（Ａ）は、
回転部（１ｂ）を本体（１ａ）に対して順回転方向に回転させたときに被繰出物（１８）を繰出容器（Ａ）の外部に繰り出す機能と、
回転部（１ｂ）を本体（１ａ）に対して逆回転方向に回転させたときに被繰出物（１８）を繰出容器（Ａ）の内部に繰り戻す機能を併せ有するものであって、
回転駆動機構（Ｂ）は、
回転体（Ｒ）を把持体（Ｈ）に対して順回転方向に回転させたときに被繰出物（１８）を繰出容器（Ａ）の開口部（２１）の外部に繰り出す機構と、
回転体（Ｒ）を把持体（Ｈ）に対して逆回転方向に回転させたときに被繰出物（１８）を繰出容器（Ａ）の開口部（２１）の内部に繰り戻す機構を有するものであって、
前記把持体（Ｈ）は、把持体外側モジュール（２）と中筒（１３）との間に隙間（Ｓ１）を保持しつつ両者を固定して構成され、
前記回転体（Ｒ）は、回転体内側モジュール（４）と回転体外側モジュール（５）との間に隙間（Ｓ２）を保持しつつ両者を固定して構成され、
回転体内側モジュール（４）の圧接部（４３）は、繰出容器（Ａ）の回転部（１ｂ）を圧接することにより、回転体内側モジュール（４）と繰出容器（Ａ）の回転部（１ｂ）を一体として固定するものであって、
往復駆動機構（Ｃ）は、
回転体（Ｒ）を把持体（Ｈ）に対して順回転方向に回転させたときに回転体（Ｒ）と連動している逆ラセン筒（９）が順回転方向に回転し、逆ラセン筒（９）の逆ラセン溝（９１）が、逆ラセン溝（９１）と摺動可能に嵌合している蓋（８）の案内突起（８３）を回転に伴って逆ラセン溝（９１）に沿って案内し、蓋（８）の摺動可能嵌合凸部（８４）が、摺動可能嵌合凸部（８４）と摺動可能に嵌合している摺動可能嵌合凹部（２２）に沿って蓋（８）開放方向に線状に移動する機構と、
回転体（Ｒ）を把持体（Ｈ）に対して逆回転方向に回転させたときに回転体（Ｒ）と連動している逆ラセン筒（９）が逆回転方向に回転し、逆ラセン筒（９）の逆ラセン溝（９１）が、逆ラセン溝（９１）と摺動可能に嵌合している蓋（８）の案内突起（８３）を回転に伴って逆ラセン溝（９１）に沿って案内し、蓋（８）の摺動可能嵌合凸部（８４）が、摺動可能嵌合凸部（８４）と摺動可能に嵌合している摺動可能嵌合凹部（２２）に沿って蓋（８）閉止方向に線状に移動する機構を有するものであり、
開閉駆動機構（Ｄ）は、
逆ラセン筒（９）が順回転方向に回転したときに逆ラセン筒（９）の逆ラセン溝（９１）が、逆ラセン溝（９１）と摺動可能に嵌合している蓋（８）の案内突起（８３）を回転に伴って逆ラセン溝（９１）に沿って案内し、蓋（８）の摺動可能嵌合凸部（８４）が、摺動可能嵌合凸部（８４）と摺動可能に嵌合している摺動可能嵌合凹部（２２）に沿って蓋（８）開放方向に線状に移動することにより可撓性を有する舌部（８１）が変形しつつ隙間（Ｓ１）に収納されて前記開口部（２１）が開放される機構と、
逆ラセン筒（９）が逆回転方向に回転したときに逆ラセン筒（９）の逆ラセン溝（９１）が、逆ラセン溝（９１）と摺動可能に嵌合している蓋（８）の案内突起（８３）を回転に伴って逆ラセン溝（９１）に沿って案内し、蓋（８）の摺動可能嵌合凸部（８４）が、摺動可能嵌合凸部（８４）と摺動可能に嵌合している摺動可能嵌合凹部（２２）に沿って蓋（８）閉止方向に線状に移動することにより可撓性を有する舌部（８１）が変形しつつ隙間（Ｓ１）から引き出されて前記開口部（２１）が閉止される機構を有するものであって、
装置全体の機能として、
前記回転体（Ｒ）を把持体（Ｈ）に対して順回転方向に回転させたときには、蓋（６）が開放されつつ被繰出物（１８）が連動して繰り出され、
前記回転体（Ｒ）を把持体（Ｈ）に対して逆回転方向に回転させたときには、蓋（６）が閉止されつつ被繰出物（１８）が連動して繰り戻される機能を有するものであることを特徴とする繰出容器の開閉装置。
【請求項３】
繰出容器（Ａ）が、
上部ラセンタイプ繰出容器、下部ラセンタイプ繰出容器、及び、ねじ棒タイプ繰出容器からなる群から選択された１種であることを特徴とする請求項１又は２に記載した繰出容器の開閉装置。
【請求項４】
繰出容器（Ａ）が、
上部ラセンタイプ繰出容器であって、
内周面にラセン溝（１３ｄ）を設けた筒状の中筒（１３）内に、側面の長さ方向にガイド孔（１２ａ）を貫通して設けてあるガイド筒（１２）を相対回転可能に収納し、前記ガイド筒（１２）内に、被繰出物（１８）を載置する皿状の中皿（１９）を収容し、中皿（１９）の外側側面に設けた中皿突起（１９ａ）を、ガイド孔（１２ａ）を貫通させて、中筒（１３）のラセン溝（１３ｄ）に移動可能に嵌合させて、中皿（１９）に対してガイド筒（１２）を相対回転させることにより中皿（１９）をラセン溝（１３ｄ）に沿って上下方向にガイド孔（１２ａ）の長さ方向に沿って案内されて移動可能なものであることを特徴とする請求項１又は２に記載した繰出容器の開閉装置。
【発明の詳細な説明】
【技術分野】
【０００１】
本発明は、繰出容器開閉装置に関するものであり、さらに詳しくは、口紅、リップクリーム、アイシャドウ等の棒状化粧料、紅筆、フェイスブラシ等の化粧用具、事務用品のスティックタイプ糊などに適用され、使用時に蓋の取り外しを必要としない簡便性と携帯性に優れた繰出容器開閉装置に関する。
【背景技術】
【０００２】
繰出容器は、口紅容器やスティックタイプ糊容器に代表されるような手を汚さずに被繰出物（口紅、スティック糊等）を繰り出したり繰り戻したりする機能を有する容器である。
繰出容器は、基本的には、（１）上部ラセンタイプ、（２）下部ラセンタイプ、（３）ねじ棒タイプ（流し込みタイプ）の３タイプに分類される。
これら３タイプの繰出容器の基本構造については、図３に図解した。
これら３タイプの繰出容器については、後述する非特許文献１（包装の辞典（編集：日本包装学会、発行：朝倉書店、発行日：２００１年６月２０日、３６８〜３７０頁、ＩＳＢＮコード  4-254-20106-0 C 3550））、及び、非特許文献２（第４１回全日本包装技術研究会〜研究事例発表資料（（社）日本包装技術協会、発行日：２００３年１１月２０日、２１７頁））において詳細に解説されている。
なお、非特許文献１において記載されている『ねじ棒タイプ』の技術的な概念は、非特許文献２において記載されている『流し込みタイプ』と等価である。
本願発明の技術的理解を支援すべく、段落番号［０００３］において、非特許文献１（包装の事典、３６８〜３７０頁）における技術解説に関する記載を引用する。
【０００３】
『viii)  繰り出し式容器
容器の一部を回転させることにより、化粧料を繰り出したり繰り戻したりすることができる容器を、繰り出し式容器といい、直接肌などに化粧料を塗布できる簡便性と携帯性を有する(図5.10.9)。
容器形態は大きく３タイプに分けられる。
1)  上部らせんタイプ：このタイプは砲弾形状の口紅などの化粧料を収納した中皿を、外側に配置したらせん状の溝が設けてある部品に沿って回転により繰り出していく方式である。
主に使用される材質としてはアルミニウム、真鍮などの金属やアクリロニトリル・スチレン樹脂（ＡＳ）、ポリスチレン（ＰＳ）などのプラスチックである。
中皿は化粧料の抜けや折れ、耐内容物性などを考慮して選定され、材質はＡＳやポリプチレンテレフタレート（ＰＢＴ）などが多く使用されている。
化粧料の充填方式としては、あらかじめ口紅形状の金属製の金型に充填し形成したものを底付き中皿に挿入する場合と、口紅形状をした中空の樹脂部品を底に穴を設けた中皿の口元に嵌合させ、容器底穴より溶融した化粧料を直接流し込み、冷却してから樹脂部品を取り外して口紅形状を形成する場合がある。
2)  下部らせんタイプ：中皿の下部にねじやらせん部品を配置した繰り出し方式である。
この方式は細身口紅やスティックファンデーション、ヘアスティック、デオドラントスティックなどに使用される。
特徴としてはらせんを中皿の下に配置しているので、より容器を細くすることができたり、化粧料形状を丸以外、例えば楕円などにできる点である。
使用される材質は上部らせんタイプと同様である。
化粧料の充填は容器口元か容器底部から溶融した化粧料を直接充填し、冷却固化する方法で行われる。
このタイプの容器には、キャップ内部に気密パッキンなどを設け、揮発性のある化粧料を収納できるものもある。
3)  ねじ棒タイプ：化粧料の中心にねじ棒があるタイプである。
この方式は容器口元から直接化粧料を充填固化させ、中心のねじ棒を回転することで固化した化粧料が繰り出されるものである。
構造が非常に簡単で低コストであることから、リップクリームなどに使用される。
容器材質としてはポリプロピレン（ＰＰ）が主に使用される。』
【０００４】
本出願の特許請求の範囲、明細書、及び、図面において使用する『繰出容器』、『繰り出す』、『繰り戻す』、『上部ラセンタイプ（上部らせんタイプ）』、『下部ラセンタイプ（下部らせんタイプ）』、『ねじ棒タイプ』、『流し込みタイプ』なる技術用語は、非特許文献１、及び、非特許文献２において記載されている解説、定義、例示から、直接的かつ一義的に導き出すことができる事項とする。
【０００５】
上記の如くこれらの繰出容器は、口紅、ファウンデーション等の化粧品、スティックタイプ糊などの事務用品に既に汎用されている。
従来の技術における一般的な繰出容器（以下、本願の明細書において「従来技術における一般的な繰出容器」という。）の利点及び問題点は、下記の通りである。
【０００６】
〔従来技術における一般的な繰出容器の利点１〕
従来技術における一般的な繰出容器の第１の利点としては、回転して繰出す繰出容器は現在も消費者の支持により圧倒的に広く使用されており、消費者は繰出容器を長年使い慣れていることを挙げることが出来る。
【０００７】
〔従来技術における一般的な繰出容器の利点２〕
従来技術における一般的な繰出容器の第２の利点としては、現在も広く使われている結果、繰出容器の部品の金型、繰出容器の組立などの生産設備があり、必要により、直ぐに対応できる生産体制が整っていることを挙げることが出来る。
【０００８】
〔従来技術における一般的な繰出容器の利点３〕
従来技術における一般的な繰出容器の第３の利点としては、口紅などの化粧料を成型し、繰出容器の中皿に載置する成型設備があり、口紅などの化粧料の成型設備が揃っており、必要により直ぐに対応できる生産体制が整っていることを挙げることが出来る。
【０００９】
〔従来技術における一般的な繰出容器の利点４〕
従来技術における一般的な繰出容器の第４の利点としては、長年使用されてきた結果、繰出容器は品質が安定しており機構に関するトラブルがないことを挙げることが出来る。
【００１０】
〔従来技術における一般的な繰出容器の利点５〕
従来技術における一般的な繰出容器の第５の利点としては、使用後、蓋をかぶせ携帯して使用する際などに容器内にホコリが入り込み口紅など被繰出物を汚したり、繰出機構が故障することがないことを挙げることが出来る。
【００１１】
〔従来技術における一般的な繰出容器の問題点１〕
従来技術における一般的な繰出容器の第１の問題点としては、いちいち、繰出容器の使用時には蓋を外したり、使用後には蓋をかぶせるという煩雑な作業を伴うことが挙げられる。
【００１２】
〔従来技術における一般的な繰出容器の問題点２〕
従来技術における一般的な繰出容器の第２の問題点としては、使用時に外した蓋を紛失してしまうことがあることが挙げられる。
【００１３】
〔従来技術における一般的な繰出容器の問題点３〕
従来技術における一般的な繰出容器の第３の問題点としては、蓋脱着時に、実質的に商品価値を有する高価な内容物（口紅、化粧料、糊等）を、蓋のエッジで傷を付けたり、欠損させてしまうことが挙げられる。
【００１４】
上記した従来技術における一般的な繰出容器の問題点１〜３において列挙した問題点を解消すべく、従来の技術において、当業者らは、繰出容器の蓋を自動的に開閉する技術を開発してきた。
このような従来の技術における代表的な具体例として、特許文献１に示した「ステック繰出容器」（ステックとは口紅などの化粧料を示す）を挙げることができる。
【００１５】
〔実開５８−１０９４０８号（特許文献１）〕
実開５８−１０９４０８号（特許文献）に係る発明（以下、本願の明細書において「直近先行技術に係る繰出容器」という。）は、基筒１の上端にステック収容筒を回転自在に連係し、該ステック収容筒内に上端の口部２１を開閉するシャッタ６を可動に装備させ、また、基筒１からステック収容筒２内へ内外に互いに逆向きの螺旋溝３１，３２，３２を有する螺旋筒３を起立させて、該螺旋筒の回転に伴いその外側の螺旋溝３１により上記シャッタ６を開閉動させるように構成し、更に、その螺旋筒３内にステックＡを起立させた中皿５を配して、その螺旋筒３の回転に伴いその内側の螺旋溝３１によりその中皿５を昇降動させるように構成したことを特徴とする繰出容器である（符号は、特許文献１の符号についての記載をそのまま踏襲したものである。）。
【００１６】
〔直近先行技術に係る繰出容器における利点１〕
直近先行技術に係る繰出容器における利点としては、基筒１の回転により蓋が開閉すると同時に、ステック（本願発明における『被繰出物』に相当するリップスティック）が出没することにより、蓋の開閉に伴う煩雑な作業が解消することが挙げられる。
【００１７】
直近先行技術に係る繰出容器の「ステック繰出容器」においては、ラセン筒の内側と外側に、「直接」互いに逆向きのラセンを設けてある。
このような特有な構造を採用することにより、繰出操作による容器の開放と、繰戻操作による容器の閉止が実現するけれども、次のような問題点がある。
【００１８】
〔直近先行技術に係る繰出容器における問題点１〕
直近先行技術に係る繰出容器における第１の問題点としては、繰出容器が特有な構造と部品を採用しているがために、容器のデザイン毎に、別途、新たに構造と部品を設計したり、金型を作成することが必要なために、コストが高くなってしまう点を挙げることができる。
口紅等の化粧料は、嗜好性・趣味性が高いがために、多種多様な銘柄が販売されており、消費者毎に、愛好している銘柄も異なる。
さらに、口紅等の化粧料の容器には、通常、上部ラセンタイプ、下部ラセンタイプ、ねじ棒タイプ等のバラエティーがある。
通常、消費者が愛好している口紅等の化粧料を、直近先行技術に係る繰出容器に収納することは困難である。
口紅等の化粧料は、季節性と流行性を伴うがために、極めて短期間に、多種多様な銘柄を、多品種少量生産又は多品種大量生産を要求される場合が多い。
極めて限られた経営資源（ヒト・モノ・カネ）を、極めて効率的に、限られた期間内に投入しつつ、製造ライン（繰出容器成型のための新たな金型の設計と製造、繰出容器の成型・組立、容器の内容物たる口紅等の化粧料の調整・成型、内容物の繰出容器への収納）の設営が必要であるという問題があった。
直近先行技術に係る繰出容器における第１の問題点としては、繰出容器の殆ど全ての金型や繰出容器の組立設備、中味の口紅など化粧料の成型とその繰出容器への載置設備を新たに開発と設計するために人手・時間・費用が必要になる。更に、新たな設備のメインテンスが煩雑なることが挙げられる。
要するに、直近先行技術に係る繰出容器における第１の問題点としては、直近先行技術に係る繰出容器は、多種多様な口紅等の化粧料に対して、汎用性と応用性がないという問題点を挙げることができる。
【００１９】
〔直近先行技術に係る繰出容器における問題点２〕
直近先行技術に係る繰出容器における第２の問題点としては、繰出容器が特有な構造（例えば、ラセン筒の内側と外側に別個に二つのラセンを設けた構造）と部品を採用しているがために、金型構造が複雑になり、メインテナンスが煩雑であり、金型に故障が発生しやすく、金型の耐久期間が短くなることが挙げられる。
【００２０】
〔直近先行技術に係る繰出容器における問題点３〕
直近先行技術に係る繰出容器における問題点３として、上記した問題点１〜２と関連して、直近先行技術に係る繰出容器の製造においては、多大な金属資源やエネルギー資源を必要とし、さらには、多大な廃棄物と二酸化炭素が発生することが挙げられる。
【００２１】
【非特許文献１】包装の辞典（編集：日本包装学会、発行：朝倉書店、発行日：２００１年６月２０日）  ３６８〜３７０頁
【非特許文献２】第４１回全日本包装技術研究会−研究事例発表資料−（発行：（社）日本包装技術協会、発行日：２００３年１１月２０日）  ２１７頁
【特許文献１】実開５８−１０９４０８号
【発明の開示】
【発明が解決しようとする課題】
【００２２】
本願発明が解決しようとする課題は、従来技術における一般的な繰出容器の利点（１）〜（５）を活かしつつ、直近先行技術に係る繰出容器における問題点を解決することである。
本願発明に係る繰出容器が解決しようとする課題を以下に列挙する。
【００２３】
〔本発明が解決しようとする課題１〕
各種の従来技術における一般的な繰出容器は、現在、消費者の支持を得て広く普及しており、その利便性をより向上すること、蓋紛失防止性や蓋脱着時の未使用の商品を傷つけ商品価値を損なう点の改善が必要であることを考慮すると、従来技術における一般的な繰出容器における第１の問題点は、解決すべき課題（「便利で防蓋紛失効果のある繰出容器開閉装置」）として特に重要であった。
本発明が解決しようとする第１の課題としては、いちいち、繰出容器の使用時には蓋を外したり、使用後には蓋をかぶせるという煩雑な作業を解消することである。
【００２４】
〔本発明が解決しようとする課題２〕
本発明が解決しようとする第２の課題としては、使用時に外した蓋を紛失してしまうことを防止することである。
【００２５】
〔本発明が解決しようとする課題３〕
本発明が解決しようとする第３の課題としては、蓋脱着時に、実質的に商品価値を有する高価な内容物（口紅、化粧料、糊等）を、蓋のエッジで傷を付けたり、欠損させてしまうことを防止することである。
【００２６】
〔本発明が解決しようとする課題４〕
本発明が解決しようとする第４の課題としては、『直近先行技術に係る繰出容器における問題点１』及び『直近先行技術に係る繰出容器における問題点２』と関連して、製造現場とメンテナンスにおける省力化を図ることである。
先進国において少子高齢化が進行することを鑑みて、技術者の人手不足や人件費・修理費・維持費の高騰などを考慮すると、上記した直近先行技術に係る繰出容器の第４の問題点は、解決すべき課題（「既存の部品・繰出容器・設備の有効使用によるこれらの図面作成期間の短縮や金型製作期間の短期化・メンテナンス費低減、また、長年の実績による品質の安定化」）として特に重要である。
【００２７】
〔本発明が解決しようとする課題５〕
本発明が解決しようとする第５の課題としては、『直近先行技術に係る繰出容器における問題点３』と関連して、製造現場とメンテナンスにおける省力化を図ることである。
先行技術に係る繰出容器の製造の場合とは対照的に、金属資源やエネルギー資源の消費を抑制し、さらには、廃棄物と二酸化炭素の発生を抑制することである。
京都議定書などに代表されるような地球温暖化防止、資源の有効使用などによる地球環境問題対応策を鑑みると、上記した直近先行技術に係る繰出容器の第２の問題点及び問題点３は、解決すべき課題（耐久性の良い金型使用や既存の設備の有効使用による「省資源・省エネルギー・廃棄物削減」）として特に重要であった。
【００２８】
本発明は、上記の課題を解決するためになされたものである。
(1) 現在、広く使用されている繰出容器を基本機構として使用する。
(2) 基本機構に繰出容器を用いるので、新たに必要な部品が少なく金型製作期間が少ない。
(3) 繰出容器の組立設備や口紅などの化粧料の既存の成型設備を使用できる。
(4) 携帯時に容器内にホコリが入り込み中味が汚れたり、繰出容器の繰出操作に支障がでることない。
(5) 長年、消費者に使用され、使い慣れてきた繰出容器と同じ回転操作で蓋の開閉を行う繰出容器開閉装置である。
そして、現在、口紅などの化粧料や化粧用具に使用されている種々の繰出容器に応用することができる。また、従来から使われている繰出容器の組立て設備や棒状化粧料の成型設備を使用でき、効率よく中味の充填や成型が出来る繰出容器の開閉装置を実現すること目的とするものである。
【課題を解決するための手段】
【００２９】
本願発明は、以下の［請求項１］乃至［請求項４］に記載した発明である。
［請求項１］
繰出容器（Ａ）、回転駆動機構（Ｂ）、往復駆動機構（Ｃ）及び、開閉駆動機構（Ｄ）を含んで構成される繰出容器の開閉装置であって、
繰出容器（Ａ）は、
回転部（１ｂ）を本体（１ａ）に対して順回転方向に回転させたときに被繰出物（１８）を繰出容器（Ａ）の外部に繰り出す機能と、
回転部（１ｂ）を本体（１ａ）に対して逆回転方向に回転させたときに被繰出物（１８）を繰出容器（Ａ）の内部に繰り戻す機能を併せ有するものであって、
回転駆動機構（Ｂ）は、
回転体（Ｒ）を把持体（Ｈ）に対して順回転方向に回転させたときに被繰出物（１８）を繰出容器（Ａ）の開口部（２１）の外部に繰り出す機構と、
回転体（Ｒ）を把持体（Ｈ）に対して逆回転方向に回転させたときに被繰出物（１８）を繰出容器（Ａ）の開口部（２１）の内部に繰り戻す機構を有するものであって、
前記把持体（Ｈ）は、把持体外側モジュール（２）と中筒（１３）との間に隙間（Ｓ１）を保持しつつ両者を固定して構成され、
前記回転体（Ｒ）は、回転体内側モジュール（４）と回転体外側モジュール（５）との間に隙間（Ｓ２）を保持しつつ両者を固定して構成され、
回転体内側モジュール（４）の圧接部（４３）は、繰出容器（Ａ）の回転部（１ｂ）を圧接することにより、回転体内側モジュール（４）と繰出容器（Ａ）の回転部（１ｂ）を一体として固定するものであって、
往復駆動機構（Ｃ）は、
回転体（Ｒ）を把持体（Ｈ）に対して順回転方向に回転させたときに回転体（Ｒ）と連動している環状はすば歯車（７）が順回転方向に回転し、歯車側はすば（７１）と噛み合っているラック側はすば（６３）が蓋（６）開放方向に線状に移動する機構と、
回転体（Ｒ）を把持体（Ｈ）に対して逆回転方向に回転させたときに回転体（Ｒ）と連動している環状はすば歯車（７）が逆回転方向に回転し、歯車側はすば（７１）と噛み合っているラック側はすば（６３）が蓋（６）閉止方向に線状に移動する機構を有するものであり、
開閉駆動機構（Ｄ）は、
環状はすば歯車（７）が順回転方向に回転したときに歯車側はすば（７１）と噛み合っているラック側はすば（６３）が蓋開放方向に線状に移動することにより可撓性を有する舌部（６１）が変形しつつ隙間（Ｓ１）に収納されて前記開口部（２１）が開放される機構と、
環状はすば歯車（７）が逆回転方向に回転したときに歯車側はすば（７１）と噛み合っているラック側はすば（６３）が蓋閉止方向に線状に移動することにより可撓性を有する舌部（６１）が変形しつつ隙間（Ｓ１）から引き出されて前記開口部（２１）が閉止される機構を有するものであって、
装置全体の機能として、
前記回転体（Ｒ）を把持体（Ｈ）に対して順回転方向に回転させたときには、蓋（６）が開放されつつ被繰出物（１８）が連動して繰り出され、
前記回転体（Ｒ）を把持体（Ｈ）に対して逆回転方向に回転させたときには、蓋（６）が閉止されつつ被繰出物（１８）が連動して繰り戻される機能を有するものであることを特徴とする繰出容器の開閉装置。
【００３０】
［請求項２］
繰出容器（Ａ）、回転駆動機構（Ｂ）、往復駆動機構（Ｃ）及び、開閉駆動機構（Ｄ）を含んで構成される繰出容器の開閉装置であって、
繰出容器（Ａ）は、
回転部（１ｂ）を本体（１ａ）に対して順回転方向に回転させたときに被繰出物（１８）を繰出容器（Ａ）の外部に繰り出す機能と、
回転部（１ｂ）を本体（１ａ）に対して逆回転方向に回転させたときに被繰出物（１８）を繰出容器（Ａ）の内部に繰り戻す機能を併せ有するものであって、
回転駆動機構（Ｂ）は、
回転体（Ｒ）を把持体（Ｈ）に対して順回転方向に回転させたときに被繰出物（１８）を繰出容器（Ａ）の開口部（２１）の外部に繰り出す機構と、
回転体（Ｒ）を把持体（Ｈ）に対して逆回転方向に回転させたときに被繰出物（１８）を繰出容器（Ａ）の開口部（２１）の内部に繰り戻す機構を有するものであって、
前記把持体（Ｈ）は、把持体外側モジュール（２）と中筒（１３）との間に隙間（Ｓ１）を保持しつつ両者を固定して構成され、
前記回転体（Ｒ）は、回転体内側モジュール（４）と回転体外側モジュール（５）との間に隙間（Ｓ２）を保持しつつ両者を固定して構成され、
回転体内側モジュール（４）の圧接部（４３）は、繰出容器（Ａ）の回転部（１ｂ）を圧接することにより、回転体内側モジュール（４）と繰出容器（Ａ）の回転部（１ｂ）を一体として固定するものであって、
往復駆動機構（Ｃ）は、
回転体（Ｒ）を把持体（Ｈ）に対して順回転方向に回転させたときに回転体（Ｒ）と連動している逆ラセン筒（９）が順回転方向に回転し、逆ラセン筒（９）の逆ラセン溝（９１）が、逆ラセン溝（９１）と摺動可能に嵌合している蓋（８）の案内突起（８３）を回転に伴って逆ラセン溝（９１）に沿って案内し、蓋（８）の摺動可能嵌合凸部（８４）が、摺動可能嵌合凸部（８４）と摺動可能に嵌合している摺動可能嵌合凹部（２２）に沿って蓋（８）開放方向に線状に移動する機構と、
回転体（Ｒ）を把持体（Ｈ）に対して逆回転方向に回転させたときに回転体（Ｒ）と連動している逆ラセン筒（９）が逆回転方向に回転し、逆ラセン筒（９）の逆ラセン溝（９１）が、逆ラセン溝（９１）と摺動可能に嵌合している蓋（８）の案内突起（８３）を回転に伴って逆ラセン溝（９１）に沿って案内し、蓋（８）の摺動可能嵌合凸部（８４）が、摺動可能嵌合凸部（８４）と摺動可能に嵌合している摺動可能嵌合凹部（２２）に沿って蓋（８）閉止方向に線状に移動する機構を有するものであり、
開閉駆動機構（Ｄ）は、
逆ラセン筒（９）が順回転方向に回転したときに逆ラセン筒（９）の逆ラセン溝（９１）が、逆ラセン溝（９１）と摺動可能に嵌合している蓋（８）の案内突起（８３）を回転に伴って逆ラセン溝（９１）に沿って案内し、蓋（８）の摺動可能嵌合凸部（８４）が、摺動可能嵌合凸部（８４）と摺動可能に嵌合している摺動可能嵌合凹部（２２）に沿って蓋（８）開放方向に線状に移動することにより可撓性を有する舌部（８１）が変形しつつ隙間（Ｓ１）に収納されて前記開口部（２１）が開放される機構と、
逆ラセン筒（９）が逆回転方向に回転したときに逆ラセン筒（９）の逆ラセン溝（９１）が、逆ラセン溝（９１）と摺動可能に嵌合している蓋（８）の案内突起（８３）を回転に伴って逆ラセン溝（９１）に沿って案内し、蓋（８）の摺動可能嵌合凸部（８４）が、摺動可能嵌合凸部（８４）と摺動可能に嵌合している摺動可能嵌合凹部（２２）に沿って蓋（８）閉止方向に線状に移動することにより可撓性を有する舌部（８１）が変形しつつ隙間（Ｓ１）から引き出されて前記開口部（２１）が閉止される機構を有するものであって、
装置全体の機能として、
前記回転体（Ｒ）を把持体（Ｈ）に対して順回転方向に回転させたときには、蓋（６）が開放されつつ被繰出物（１８）が連動して繰り出され、
前記回転体（Ｒ）を把持体（Ｈ）に対して逆回転方向に回転させたときには、蓋（６）が閉止されつつ被繰出物（１８）が連動して繰り戻される機能を有するものであることを特徴とする繰出容器の開閉装置。
【００３１】
［請求項３］
繰出容器（Ａ）が、
上部ラセンタイプ繰出容器、下部ラセンタイプ繰出容器、及び、ねじ棒タイプ繰出容器からなる群から選択された１種であることを特徴とする請求項１又は２に記載した繰出容器の開閉装置。
【００３２】
［請求項４］
繰出容器（Ａ）が、
上部ラセンタイプ繰出容器であって、
内周面にラセン溝（１３ｄ）を設けた筒状の中筒（１３）内に、側面の長さ方向にガイド孔（１２ａ）を貫通して設けてあるガイド筒（１２）を相対回転可能に収納し、前記ガイド筒（１２）内に、被繰出物（１８）を載置する皿状の中皿（１９）を収容し、中皿（１９）の外側側面に設けた中皿突起（１９ａ）を、ガイド孔（１２ａ）を貫通させて、中筒（１３）のラセン溝（１３ｄ）に移動可能に嵌合させて、中皿（１９）に対してガイド筒（１２）を相対回転させることにより中皿（１９）をラセン溝（１３ｄ）に沿って上下方向にガイド孔（１２ａ）の長さ方向に沿って案内されて移動可能なものであることを特徴とする請求項１又は２に記載した繰出容器の開閉装置。
【発明の効果】
【００３３】
本発明によれば、繰出容器を基本機構とし、中味の口紅などの化粧料や化粧用具を繰出すために、繰出容器、又は、開閉装置に組み込みむために一部を必要により修正した、あるいは、加飾部品など除去した繰出容器を用いて、繰出容器開閉装置を作ることができる。
本願発明による効果を以下に列挙する。
【００３４】
本発明の第１の効果は、現状の繰出容器に比べ、使用時の蓋脱着の煩雑さがない利便性があり、また、防蓋紛失効果があり、更に、蓋を脱着するときに蓋が未使用の口紅などの中味に触れてキズを付けて商品価値を失うことがないことである。
【００３５】
本発明の第２の効果は、各種の繰出容器に応用できる汎用性があることである。
【００３６】
本発明の第３の効果は、現在、広く用いられている繰出容器を基本機構として使用できる結果、従来の繰出容器を使用するため、既存の部品・金型・繰出容器の組立設備・口紅など化粧料の成型設備など「既存設備の使用」を実現できる。このため、これら生産設備を新たに作る必要がないため「省資源・省エネルギー効果」が得られ、同時に、これらの生産過程で発生する「廃棄物の発生の削減効果」が実現できることである。
【００３７】
本発明の第４の効果は、複雑な金型が必要ないので、金型は耐久性があり、メインテナンスし易く、また、複雑な金型に発生しやすい故障が殆どないという効果が実現できることである。
【００３８】
本発明の第５の効果は、既存の繰出容器を使用できるため新たな金型・設備などの設計のための人手や時間の軽減と製品設計の効率化などを実現できる。
【００３９】
このように本発明によれば、従来の繰出容器を基本機構とし、中味の口紅等の化粧料を繰出すために、繰出容器、又は、組み込む際に加飾部品など不要な部品を外した繰出容器を開閉装置に組み込んだ繰出容器開閉装置を作ることができる。この結果、上記の発明の効果と多くの波及効果があり、これらを合わせて列記する。
【００４０】
１）現状の繰出容器の使用時の蓋開閉時の脱着の煩雑さがない。このため蓋脱着時に未使用の商品に蓋が触れて商品を傷つけることがない。
２）蓋紛失防止効果がある。
３）従来から使用されてきた種々の繰出容器に応用でき、汎用性がある。これまでにない特徴である。
４）消費者が長年使い慣れてきた繰出容器と同じ回転して使用できるので使用時や外観に違和感がない。
５）従来の繰出容器を利用でき、新たな金型製作が少なくて済む。
６）また、複雑な金型が必要ないので、金型の耐久性が向上しメインテナンスしやすく、複雑な金型に発生しやすい故障がないなど効果がある。
７）長年、使用実績のある繰出容器を基本機構として用いるため繰出容器の品質が安定している。
８）既存の繰出容器の組立設備や棒状化粧料の成型機などの生産設備を使用できるため、これまでの生産性を確保できる。
９）既存の設備や金型なども使用できる結果、金型や設備の製作に必要なエネルギー、資源、製作過程に発生する廃棄物の発生を削減できる。即ち、省エネルギー、省資源、廃棄物の削減効果がある。
１０）  既存の繰出容器、その生産設備、中味の口紅などの化粧料の生産設備を共用できる結果、製品設計・図面作成・金型製作に必要な人手、時間、金型製作期間などが削減できる効果がある。また、製品設計の効率化・設計期間の短縮効果も期待できる。
１１）  容器内にホコリが入り込むことがない。蓋は確実に閉まるので携帯中に容器内にホコリが入り込み容器の繰出機構に故障を生じることが無く、また、中味の被繰出物を汚すことがない。
【発明を実施するための最良の形態】
【００４１】
〔本発明の繰出容器の基本機構と基本機能図〕
本発明に係る最良の形態を、図１〜図２８に示した。
図１は、本発明の繰出容器の基本機構と基本機能〜１（繰出時）を示す図で、被繰出物（１ｃ（１８））を順回転方向に繰出時の図である。
【００４２】
図２は、繰出容器の基本機構と基本機能〜２（繰戻時）を示す図で、被繰出物（１ｃ（１８））を逆回転方向に繰戻時を示す図である。
繰出容器は、本体（１ａ）を把持し、更に、もう一方の回転部（１ｂ）を順又は逆回転方向に回転し、被繰出物を繰出す、又は、繰戻す繰出容器の基本構造と基本機能を示す図である。
本発明において用いる繰出容器は、図１と図２に示す如く本体（１ａ）を片手で把持し、もう一方の回転部（１ｂ）を順又は逆回転方向に回転し、被繰出物（１ｃ（１８））を繰出す、または、繰戻すことが出来る繰出容器であれば何れにも応用できる。
【００４３】
〔繰出容器の概要図〕
図３は、本発明に用いる繰出容器の概要を示す図である。
前述の如く、図３（１）の上部ラセンタイプ繰出容器は、砲弾形状の口紅などの化粧料を収納した中皿を、外側に配置したラセン溝に沿って回転により繰出し、又は、繰戻すタイプである。
図３（２）の下部ラセンタイプ繰出容器は、中皿の下部にねじやラセン部品を配置したタイプである。
図３（３）のねじ棒タイプ繰出容器は、中皿の中心にねじ棒があるタイプである。
【００４４】
通常、繰出容器は、口紅、ステックファンデイションなどの棒状化粧料の繰出容器や事務用品のスティックタイプ糊容器などに使用される。
繰出容器の中皿に化粧用具を装着して使用されることあるが、上部ラセンタイプ繰出容器は、馬毛など毛状のものを用いた化粧用具には使用が適さないため実用例は少ない。
下部ラセンタイプ繰出容器はフエイスブラシなど化粧用具にも応用されている。
ねじ棒タイプ繰出容器は、図３に示す如く容器の中皿の中心に回転棒があるため化粧用具には使用されている例はあまりない。
【００４５】
〔環状はすば歯車を用いた繰出容器開閉装置〕
本発明の「環状はすば歯車」を用いた繰出容器開閉装置について述べる。
【００４６】
〔本発明の繰出容器開閉装置の構成図〕
図４は、本発明の繰出容器開閉装置の構成を示す図で、繰出容器（Ａ）、回転駆動機構（Ｂ）、往復駆動機構（Ｃ）、開閉駆動機構（Ｄ）、把持体（Ｈ）、回転体（Ｒ）を示す斜視図である。
繰出容器（Ａ）は、上部ラセンタイプ，下部ラセンタイプ、ねじ棒タイプなどを用いる。
回転駆動機構（Ｂ），往復駆動機構（Ｃ）、開閉駆動機構（Ｄ）、把持体（Ｈ）回転体（Ｒ）は、これらの繰出容器や繰出容器開閉装置の形状、デザイン、サイズ、太さ、種類などによりこれに合わせ必要により修正されることがあるが基本的な機構は同じである。
【００４７】
〔本発明の繰出容器開閉装置を上部ラセンタイプ繰出容器に応用の図〕
図５は、本発明の繰出容器開閉装置を上部ラセンタイプ繰出容器に応用した構成を示す図で、上部ラセンタイプ繰出容器（Ａ）、回転駆動機構（Ｂ），往復駆動機構（Ｃ）、開閉駆動機構（Ｄ）、把持体（Ｈ）、回転体（Ｒ）の構成を示す斜視図である。
【００４８】
〔把持体と回転体の構成を示す断面図〕
図６は、本発明の把持体（Ｈ）と回転体（Ｒ）の構成を示す断面図で、図６の隙間（Ｓ１）断面図は、図７と図８に示すイ−イ線及び図２１と図２２に示すロ−ロ線の断面図で示す把持体（Ｈ）の構成を示す図である。
把持体（Ｈ）は、把持体外側モジュール（２）と中筒（１３）との間に隙間（Ｓ１）を保持しつつ両者を固定して構成される。
把持体外側モジュール（２）の内側に設けた回止部材（２３）は中筒（１３）を固定しており、把持体（Ｈ）を固定し、回転体（Ｒ）を回転した時、中筒（１３）が同じ方向に回転しないように把持体（Ｈ）を構成する把持体外側モジュール（２）と中筒（１３）が一体になるように固定されている。
隙間（Ｓ１）は、繰出容器開閉装置（１００）の回転操作による蓋（６）のはすばラック（６２）の線状の移動に必要な隙間を確保していることを示している図である。
回止部材（２３）はこの例に限定されない。本発明に適したものであれば、何れの方法でも良い。また、回止部材（２３）は、別部品として把持体外側モジュール（２）の天面内側に挿入して用いることも出来る。
【００４９】
回転体（Ｒ）は、回転体内側モジュール（４）と回転体外側モジュール（５）との間に隙間（Ｓ２）を保持しつつ両者を固定して構成されている。
両者は、同じ方向に同時に回転するように固定するために回転体内側モジュール（４）の回転体内側モジュール嵌合部（４４）を回転体外側モジュール（５）の内側に強制嵌合し両者を固定する。
【００５０】
図６の隙間（Ｓ２）断面図は、回転体（Ｒ）の構成を示す図で、回転体内側モジュール（４）と回転体外側モジュール（５）との間の隙間（Ｓ２）を示す断面図である。
隙間（Ｓ２）は、蓋（６）のはすばラック（６２）の長さ、環状はすば歯車（７）の歯車側はすば（７１）の幅、環状はすば歯車（７）のはすばの傾斜角度、繰出容器のタイプや形状などの設計などによりはすばラック（６２）の下端が入り込むに必要な隙間（Ｓ２）の長さ・位置が異なってくるため図には位置示していない。
例えば、環状はすば歯車（７）の歯車側はすば（７１）の幅を広くすれば、幅の分、はすばラック（６２）のラック側はすば（６３）と歯車側はすば（７１）の嵌合する位置を高くできるので、その分、はすばラック（６２）の長さは短くできるため、はすばラックの下端が隙間（Ｓ２）に入り込む距離は少なくなり、このため、隙間（Ｓ２）が長さが少なくなる。
【００５１】
〔上部ラセンタイプ繰出容器開閉装置の開閉時の各部品の動きを示す図〕
図７は、本発明の上部ラセンタイプ繰出容器開閉装置を順及び逆回転方向に開閉時の各部品の動きを示す図で、蓋（６）、被繰出物（１８）、ラックの繰出距離（ｙ）など動きを示す図である。
【００５２】
図７の上の図は、把持体外側モジュール（２）を外した斜視図で、蓋（６）と環状はすば歯車（７）の開閉時の動きを示した図である。
図７の上の左図は、繰出容器開閉装置（１００）の蓋（６）が上昇し、開口部（２１）を閉じている全閉状態を示す。
【００５３】
図７の上の中図は、繰出容器開閉装置（１００）の順回転方向への回転により内側を線上に移動した蓋（６）の中間状態を示し、可撓性のある蓋（６）は、把持体外側モジュール（２）の壁体（２４）により折り曲げられている状態と、移動に伴う蓋（６）のはすばラック（６２）のラック繰出距離（ｙ）を示している。
【００５４】
図７の上の右図は、繰出容器開閉装置（１００）を順回転方向への回転により内側の蓋（６）の全開の状態を示し、蓋（６）は、把持体外側モジュール（２）の内側に収納されている全開状態と、把持体外側モジュール（２）の内側の摺動可能嵌合凹部（２２）と蓋（６）の摺動可能嵌合凸部（６４）は摺動可能に嵌合しており、摺動可能嵌合凹部（２２）に沿って線上に移動した蓋（６）のはすばラック（６２）のラック繰出距離（ｙ）を示している。
可撓性のある蓋の材質は、通常知られる力を加えた場合、柔軟に撓むプラスチックで、本発明を実施に適するものであれば何れでもよい。
壁体（２４）は、繰出容器開閉装置（１００）のデザインや形状など必要により別部品として把持体外側モジュール（２）に壁体（２４）を組み込むことも出来る。
【００５５】
〔図７の一部の拡大図〕
図８は、本発明の上部ラセンタイプ繰出容器開閉装置の各部品の動きを示す断面図で、図７の一部の拡大図である。
【００５６】
図７の下の図と図８は、同じ状態の上部ラセンタイプ繰出容器開閉装置の断面図で、左図は、蓋（６）によって繰出容器開閉装置（１００）の把持体外側モジュール（２）の開口部（２１）が全閉し、繰出容器開閉装置内に口紅を収納している全閉の状態を示している。
【００５７】
図７の下の図と８図の中図は、中間状態を示し、回転体（Ｒ）を把持体（Ｈ）に対して順回転方向に回転させたときに連動している環状はすば歯車（７）が順回転方向に回転し、歯車側はすば（７１）と噛み合っているラック側はすば（６３）が蓋開放方向に線上に移動し、把持体外側モジュール（２）の開口部（２１）が中間状態に開いている状態を示している。
同時にラック側はすば（６３）とは逆向きのラセンを持つ上部ラセンタイプ繰出容器（１）の回転部（１２ｂ（１ｂ））は、回転体（Ｒ）と一体に回転するように嵌合しており、後で述べる図１０〜１１に示す如く、収納された中皿（１９）に載置された口紅（１８’）は、ガイド筒（１２）の回転部（１２ｂ（１ｂ））の順回転方向の回転によりガイド孔（１２ａ）により中皿（１９）の中皿突起（１９ａ）が上部ラセンタイプ繰出容器内のラセン溝（１３ｄ）に沿って案内され、中間状態に繰り上げられている状態を示している。
図７と図８には、移動に伴う蓋（６）のはすばラック（６２）のラック繰出距離（ｙ）を示している。
【００５８】
図７の下の図と図８の右図は、回転体（Ｒ）を把持体（Ｈ）に対して順回転方向に回転させたときに連動している環状はすば歯車（７）が順回転方向に回転する。
環状はすば歯車（７）の歯車側はすば（７１）と噛み合っている蓋（６）のラック側はすば（６３）の摺動可能嵌合凸部（６４）が把持体外側モジュール（２）の摺動可能嵌合凹部（２２）と摺動可能に嵌合しており、蓋（６）は蓋開放方向に線上に移動し、把持体外側モジュール（２）の開口部（２１）が全開して、口紅（１８’）が繰り上げられている状態と、移動に伴う蓋（６）のはすばラック（６２）のラック繰出距離（ｙ）を示している。
図７〜８は、蓋閉止方向の逆回転方向に回転すると口紅（１８’）は収納され、同時に蓋（６）は上昇し、開口部（２１）を閉じることを示している。
【００５９】
〔把持体外側モジュールと回転体外側モジュールの嵌合図〕
図９は、把持体外側モジュール（２）と回転体外側モジュール（５）の嵌合を示す図である。
前述の如く繰出容器開閉装置（１００）は、把持体（Ｈ）を構成する把持体外側モジュール（２）と中筒（１３）と、回転体（Ｒ）を構成する回転体内側モジュール（４）と回転体外側モジュール（５）とを固定して構成され、被繰出物（１８）を繰出容器開閉装置（１００）から繰出す又は、繰戻し、同時に蓋を開閉するときには、把持体（Ｈ）と回転体（Ｒ）を逆方向に回転する。
このために、把持体外側モジュール（２）と回転体外側モジュール（５）は片方を固定した時に回転可能に嵌合し、しかも使用中に嵌合がはずれないことが必要である。図９に示す如く、把持体外側モジュール（２）には外側回転可能嵌合部（把持体外側モジュール（２）側）（２ａ）を設け，更に、回転体外側モジュール（５）には外側回転可能嵌合部（回転体外側モジュール（５）側）（５ａ）設け、これらを嵌合した外側回転可能嵌合部（Ｆ２（５ｃ））により回転可能に嵌合する。
回転可能な嵌合は、この例に限定されない。周知の方法で本発明に応用できるものであれば何れでもよい。
【００６０】
〔上部ラセンタイプ繰出容器の部品と組立工程と被繰出物を中皿に載置工程図〕
図１０と図１１は、上部ラセンタイプ繰出容器（１）の部品とその組立工程と被繰出物（１８）を中皿（１９）に載置する工程を示す図である。
図１０に示す如く、中皿（１９）の中皿突起（１９ａ）を回転部（１２ｂ）を設けたガイド筒（１２）のガイド孔（１２ａ）に貫通すように組み込む。
次に、中皿（１９）を組み込んだガイド筒（１２）と中筒（１３）とを嵌合する。同時に中筒（１３）のラセン溝（１３ｄ）に中皿突起（１９ａ）を組込む。
【００６１】
図１１に示す如く、図１０で述べた中皿（１９）をガイド筒（１２）に組み込み、更にこれ中筒（１３）のガイド溝（１３ｄ）に組み込み、内側回転可能嵌合凸部（１３ａ）によりガイド筒（１２）と中筒（１３）が抜けないよう図１１に示すように嵌合し、内側回転可能嵌合部（Ｆ１（１３ｃ））を形成する。この嵌合により中筒（１３）を把持し、ガイド筒（１２）の回転部（１２ｂ）を回転するとスムースに回転可能にように嵌合する。これにより上部ラセンタイプ繰出容器ができる。
この上部ラセンタイプ繰出容器（１）には、あらかじめ成型した口紅（１８’）を中皿（１９）に挿入し載置する場合と、口紅形状をした中空の樹脂部品に底穴を設けた中皿（１９）の口元に嵌合させ、容器底穴（１５）より熔融した口紅などの化粧料を直接流し込み、冷却してから樹脂部品を取りはずして口紅を成型する場合がある。
【００６２】
図１０、図１１により上部ラセンタイプ繰出容器の繰出機構について説明する。
中筒（１３）を片手で把持し、もう一方の片手で回転部（１２ｂ）を回転すると中皿（１９）の中皿突起（１９ａ）は、回転部（１２ｂ）と一体になっているガイド筒（１２）のガイド孔（１２ａ）に案内され、中筒（１３）の内側のラセン溝（１３ｄ）により中皿（１９）がガイド孔（１２ａ）に沿って線状に移動し、中皿（１９）に載置した口紅の化粧料などの被繰出物（１８）が繰出容器から出没する。
【００６３】
〔把持体と回転体の斜視図〕
図１２は，把持体（Ｈ）と回転体（Ｒ）を示す斜視図である。
把持体（Ｈ）は、図６に述べたごとく把持体外側モジュール（２）と中筒（１３）との間に隙間（Ｓ１）を保持しつつ把持体外側モジュール（２）の内側の回転止部材（２３）により両者を固定して構成される。
回転体（Ｒ）は、回転体内側モジュール（４）と回転体外側モジュール（５）との間に隙間（Ｓ２）を保持しつつ両者を図１５に示す回転体内側モジュール嵌合部（４４）で固定して構成される。
【００６４】
〔環状はすば歯車を用いた繰出容器開閉装置の組立工程の説明〕
図１３〜図１８は、環状はすば歯車（７）を用いた上部ラセンタイプ繰出容器の開閉装置の組立工程図である。
組立工程の順序は、この図に限定されない。繰出容器開閉装置の生産数、口紅などの化粧料メーカーの納品形態への要望、繰出容器メーカーや化粧料メーカーの生産設備や作業工程など必要により変更できる。
【００６５】
〔回転体内側モジュールへの繰出容器の嵌合を示す斜視図〕
図１３［組立工程１−１］は、回転体内側モジュール（４）への繰出容器（１）の嵌合を示す斜視図で、繰出容器（１）は上部ラセンタイプ繰出容器である。
【００６６】
〔環状はすば歯車の嵌合を示す斜視図〕
図１４［組立工程１−２］は、環状はすば歯車（７）の嵌合を示す斜視図で、図１３の繰出容器（１）と回転体内側モジュール（４）を組立てたものに環状はすば歯車（７）を嵌合する工程を示す斜視図である。
【００６７】
〔環状はすば歯車の嵌合（部分拡大図）を示す斜視図〕
図１５［組立工程１−２］は、環状はすば歯車（７）の嵌合（部分拡大図）を示す斜視図である。
左側の図は、環状はすば歯車（７）の連結凸部（７２）は、回転体内側モジュール（４）の連結凹部（４２）に嵌めこまれて上下方向の抜けが無いことはもちろん、横方向に回転しても外れなないように連結されることを示している図である。
なお、この組立工程１−２の環状はすば歯車（７）の連結方法は、この方法に限定されない。本発明の目的に適した連結方法であれば何れでもよい。
図１５の右側の図は、環状はすば歯車（７）と回転体内側モジュール（４）の組立後に、はすばラック（６２）に設けたラック側はすば（６３）と環状はすば歯車（７）に設けた歯車側はすば（７１）とが噛みあっていることを示す図である。
【００６８】
［圧接部（４３）］
本出願の特許請求の範囲、明細書、及び、図面において、「圧接部（４３）」は、図１５に示すとおり、回転体内側モジュール（４）の円周に沿って突出している突起であって、図１６に示すとおり、回転体外側モジュール（５）の内壁と圧接し、回転体内側モジュール（４）と回転体外側モジュール（５）を一体として固定する機能を有する。
【００６９】
［回転体内側モジュール嵌合部（４４）］
本出願の特許請求の範囲、明細書、及び、図面において、「回転体内側モジュール嵌合部（４４）」は、図１５に示すとおり、回転体内側モジュール（４）の円周に沿って突出している突起であって、図１６に示すとおり、回転体外側モジュール（５）の内壁と圧接し、回転体内側モジュール（４）と回転体外側モジュール（５）を一体として固定する機能を有する。
【００７０】
〔回転体外側モジュールの嵌合を示す斜視図〕
図１６［組立工程１−３］は、回転体外側モジュール（５）の嵌合を示す斜視図である。
繰出容器（１）と回転内側モジュール（４）と環状はすば歯車（７）との嵌合体に回転体外側モジュール（５）を嵌合する組立工程を示している。
図１６に示す如く、回転体外側モジュール（５）の上部の内側には、外側回転可能嵌合部（回転体外側モジュール（５）側）（５ａ）を設けてある。後で述べる把持体外側モジュール（２）との回転可能な嵌合のためである。
【００７１】
〔蓋（６）の嵌合を示す斜視図〕
図１７［組立工程１−４］は、蓋（６）の嵌合を示す斜視図である。
繰出容器（１）と回転体内側モジュール（４）と環状はすば歯車（７）と回転体外側モジュール（５）との嵌合体に、蓋（６）を嵌合する組立工程を示している。
【００７２】
〔把持体外側モジュールの嵌合を示す斜視図〕
図１８［組立工程１−５］は、把持体外側モジュール（２）の嵌合を示す斜視図である。
繰出容器（１）と回転体内側モジュール（４）と環状はすば歯車（７）と回転体外側モジュール（５）と蓋（６）の嵌合体に把持体外側モジュール（２）を嵌合する組立工程を示している。
図９に示した如く、把持体外側モジュール（２）には、外側回転可能嵌合部（把持体外側モジュール（２）側）（２ａ）設け、既に組み込まれている回転体外側モジュール（５）の外側回転可能嵌合部（回転体外側モジュール（５）側）（５ａ）と回転可能に嵌合する。
外側回転可能嵌合部（Ｆ２（５ｃ））において外側回転可能嵌合部（把持体外側モジュール側（２）側）（２ａ）と外側回転可能嵌合部（回転体外側モジュール（５）側）（５ａ）とは回転可能に嵌合する。
回転可能な嵌合はこの例に限定されない。本発明に適した回転可能な嵌合であれば何れでもよい。
【００７３】
〔逆ラセン筒を用いた繰出容器開閉装置〕
本発明の「逆ラセン筒」を用いた繰出容器開閉装置について次に説明する。
前述の繰出容器開閉装置に用いた環状はすば歯車（７）を逆ラセン筒（９）に替え、該逆ラセン筒（９）に合わせて蓋（６）を蓋（８）に替えて用いた例について図１９〜図２８により述べる。
【００７４】
〔本発明の逆ラセン筒を用いた繰出容器開閉装置の構成を示す図〕
図１９は、本発明の逆ラセン筒を用いた繰出容器開閉装置（１００）の構成を示す図である。
前述の図４に示した本発明の繰出容器開閉装置の構成の環状はすば歯車（７）を「逆ラセン筒（９）」に替え、更に、逆ラセン筒（９）に合わせて修正した「蓋（８）」を用いた繰出容器開閉装置の構成を示す図で、繰出容器（Ａ）、回転駆動機構（Ｂ），往復駆動機構（Ｃ）、開閉駆動機構（Ｄ）、把持体（Ｈ）、回転体（Ｒ）を示す斜視図である。
繰出容器（Ａ）は、上部ラセンタイプ，下部ラセンタイプ、ねじ棒タイプなどを用いる。
繰出容器は、開閉装置内に組み込むために不必要な部品などを除去し、また、必要により一部修正して用いる。
回転駆動機構（Ｂ），往復駆動機構（Ｃ）、開閉駆動機構（Ｄ）、把持体（Ｈ）、回転体（Ｒ）は、これらは繰出容器の形状・デザイン・サイズ・太さ・繰出容器の種類、用途などによりこれらに合わせ一部修正されることがあるが基本的な構造は同じである。
【００７５】
〔逆ラセン筒を用いた上部ラセンタイプ繰出容器開閉装置構成を示す図〕
図２０は、本発明の逆ラセン筒（９）を用いた上部らせんタイプ繰出容器開閉装置の構成を示す図で、「逆ラセン筒（９）」に合わせて修正した蓋（８）を用いた繰出容器開閉装置の構成を示したものである。
繰出容器（Ａ）は上部ラセンタイプ繰出容器、回転駆動機構（Ｂ），往復駆動機構（Ｃ）、開閉駆動機構（Ｄ）、把持体（Ｈ）、回転体（Ｒ）の構成を示す斜視図である。
【００７６】
〔逆ラセン筒を用いた上部ラセンタイプ繰出容器開閉装置の各部品の動きを示す図〕
図２１は、本発明の逆ラセン筒（９）を用いた上部ラセンタイプ繰出容器開閉装置の各部品の動きを示す図で、順及び逆転方向に開閉時の蓋（８）、被繰出物（１８）、蓋繰出距離（ｚ）など各部品の動きを示したものである。
【００７７】
図２１の上の図は、逆ラセン筒（９）を用いた本発明の上部らせんタイプ繰出容器開閉装置の把持体外側モジュール（２）を外した斜視図で、蓋（８）の開閉時の動きを示したものである。
図２１の上の左図は、繰出容器開閉装置（１００）内の蓋（６）が上昇し、開口部（２１）を閉じている全閉状態を示す。
【００７８】
図２１の上の中図は、順回転方向に繰出容器開閉装置（１００）を順回転方向に繰出したとき、把持体外側モジュール（２）の内側の摺動可能嵌合凹部（２２）と蓋（８）の摺動可能嵌合凸部（８４）は摺動可能に嵌合しており、摺動可能嵌合凹部（２２）に沿って線状に移動した蓋（８）の中間状態を示している。可撓性のある蓋（８）は、把持体外側モジュール（２）の壁体（２４）により折り曲げられている状態と、移動に伴う蓋（８）の蓋繰出距離（ｚ）を示している。
【００７９】
図２１の上の右図は、繰出容器開閉装置（１００）の内側の蓋（８）の全開の状態を示し、把持体（Ｈ）を片手で把持し、回転体（Ｒ）を順回転方向に繰出すと把持体外側モジュール（２）の内側の摺動可能嵌合凹部（２２）と蓋（８）の摺動可能嵌合凸部（８４）は嵌合しており、蓋（８）は蓋開放方向に摺動可能嵌合凹部（２２）に沿って線状に移動する。
移動した蓋（８）は、把持体外側モジュール（２）の内側に収納されている状態と、蓋（８）の蓋繰出距離（ｚ）を示している。
可撓性のある蓋の材質は、通常知られる力を加えた場合、柔軟に撓むプラスチックで、本発明を実施に適するものであれば何れでもよい。
壁体（２４）は、繰出容器開閉装置（１００）のデザインや形状など必要により別部品として把持体外側モジュール（２）に嵌着して設けることも出来る。
【００８０】
〔図２１の下の図の拡大図〕
図２２は、本発明の上部ラセンタイプ繰出容器開閉装置の各部品の動き
を示す断面図で、図２１の下の図の拡大図である
図２１の下の図と図２２の左図は、蓋（８）によって繰出容器開閉装置（１００）の把持体外側モジュール（２）の開口部（２１）が全閉し、繰出容器開閉装置内に口紅を収納している全閉状態を示している。
【００８１】
図２１の下の図と図２２の中図は、回転体（Ｒ）を把持体（Ｈ）に対して順回転方向に繰出したときに、連動している逆ラセン筒（９）が順回転方向に回転し、逆ラセン筒（９）のラセン溝（９１）と嵌合している蓋（８）の案内突起（８３）により蓋開放方向に移動する。
蓋（８）は、摺動可能嵌合凸部（８４）と摺動可能に嵌合している把持体外側モジュール（２）の内側の摺動可能嵌合凹部（２２）に案内され蓋開放方向に線状に移動し、把持体外側モジュール（２）の開口部（２１）が中間状態に開いている状態を示している。
また、同時に逆ラセン筒（９）とは逆向きのラセンを持つ上部ラセンタイプ繰出容器（１）に収納された中皿（１９）に載置された口紅（１８’）は、図１０〜１１で述べたように、ガイド筒（１２）のガイド孔（１２ａ）により中皿（１９）の中皿突起（１９ａ）が上部ラセンタイプ繰出容器内のラセン溝（１３ｄ）に沿って線状に案内され、中間状態に繰り上げられている状態を示している。
図２１と図２２には、移動に伴う蓋（８）の蓋繰出距離（ｚ）を示している。
【００８２】
図２１の下の図と図２２の右図は、回転体（Ｒ）を把持体（Ｈ）に対して順回転方向に回転させたときに連動している逆ラセン筒（９）が順回転方向に回転し、逆ラセン筒（９）と嵌合している蓋（８）の案内突起（８３）により逆ラセン筒（９）のラセン溝（９１）に案内され、蓋（８）の摺動可能嵌合凸部（８４）は、把持体モジュール（２）の摺動可能嵌合凹部（２２）と摺動可能に嵌合しており、該摺動可能嵌合凹部（２２）に沿って蓋開放方向に線状に移動し、把持体外側モジュール（２）の開口部（２１）が全開の状態を示している。
同時に、口紅（１８’）が、逆ラセン筒とは逆向きのラセンを備えた繰出容器（１）により繰り上げられている状態を示している。
【００８３】
〔逆ラセン溝（９１）〕
図２２、図２５に示す逆ラセン溝について説明する。
逆ラセン筒（９）の外側に設けた逆ラセン溝（９１）は、逆ラセン溝開始点（９１ａ）、逆ラセン溝中間点（９１ｂ）、逆ラセン溝終点（９１ｃ）の溝を少なくとも一条形成すると、蓋（８）の開閉速度を変えることが出来る。
蓋（８）は、蓋を開く際は、早く開き、蓋を容器内に収納後は、容器内をゆっくり動くことが望まれるので、逆ラセン溝（９１）の傾斜を変化させ、蓋（８）の位置により動きを調整することが出来る。
【００８４】
図２２、図２５  には、  逆ラセン筒（９）の外周面に形成した逆ラセン溝（９１）を示してある。
図２２、図２５において、逆ラセン溝開始点（９１ａ）、逆ラセン溝中間点（９１ｂ）、逆ラセン溝終点（９１ｃ）が形成されている。
逆ラセン溝開始点（９１ａ）〜逆ラセン溝中間点（９１ｂ）間は、急傾斜に溝が形成され、また、逆ラセン溝中間点（９１ｂ）〜逆ラセン溝終点（９１ｃ）の間は緩やかな溝の角度になっている。
逆ラセン溝開始点（９１ａ）〜逆ラセン溝中間点（９１ｂ）間を移動する蓋（８）は、ラセン溝に嵌合した案内突起（８３）にカイドされ、急速に線状に移動する。
これに伴い蓋（８）の舌部（８１）が早く線状に移動して開口部（２１）を速やかに開閉する。
逆ラセン溝開始点（９１ａ）には、水平部、又は、凹部を形成し、蓋（８）を閉じたとき不用意に動くことがないように配慮することも出来る。
逆ラセン溝中間点（９１ｂ）〜逆ラセン溝終点（９１ｃ）間ではラセン溝（９１）は、緩やかな角度に設定されており、蓋（８）は容器内をゆっくりと線状に移動する。
【００８５】
〔逆ラセン筒の効果〕
このように急傾斜と緩やかな逆ラセン溝（９１）を逆ラセン筒（９）に形成することによって、蓋（８）の線状の移動距離が短くなるため  繰出容器全体の長さを短くすることができる。
繰出容器開閉装置（１００）について図６で説明した隙間（Ｓ２）が必要ない設計も可能になる効果がある。
逆ラセン筒（９）の逆ラセン溝（９１）は、通常の繰出容器と同じように全て一定の傾斜角度の逆ラセン溝を用いることが出来ることはもちろんである。
蓋の移動を早くするための逆ラセン溝開始点（９１ａ）〜逆ラセン溝中間点（９１ｂ）間のラセン溝の角度は、容器の長さ、太さ、デザイン、形状、また、蓋の移動の速さの必要度、操作時の使いやすさなどにより、個々の繰出容器毎に決め、設定する。
【００８６】
〔挟持リング（８５）〕
次に、挟持リング（８５）に付いて説明する。
図２０、図２１、図２７などに示すように、蓋（８）は、逆ラセン筒（９）の外周囲を挟み込む挟持リング（８５）が蓋（８）の開閉時のブレ防止などのため、必要により形成し、用いる。
案内突起（８３）は、例えば、図２５においては、挟持リング（８５）は逆ラセン筒（９）の面に１つ形成している。
【００８７】
〔案内突起（８３）〕
案内突起（８３）は、例えば、図２５においては、挟持リング（８５）は逆ラセン筒（９）の面に１つ形成しているが、挟持リング（８５）に設けた案内突起（８３）の数とこれと嵌合する逆ラセン溝（９１）を複数にして蓋（８）の移動時の蓋のブレを安定させることも必要によりできる。
【００８８】
〔逆ラセン筒を用いた繰出容器開閉装置の組立工程の説明〕
図２３〜図２８は、逆ラセン筒（９）用いた上部ラセンタイプ繰出容器の開閉装置の基本的な各部品の組立工程図である。蓋（８）と逆ラセン筒（９）を除くと、前述の図１３〜１８と同じである。
組立工程の順序は、この図に限定されない。生産数や口紅などの化粧料メーカーの要望などにより変更される。
【００８９】
〔回転体内側モジュールへの繰出容器の嵌合を示す斜視図〕
図２３［組立工程２−１］回転体内側モジュール（４）への繰出容器（１）の嵌合を示す斜視図で、繰出容器は上部ラセンタイプ繰出容器である。
【００９０】
〔逆ラセン筒の嵌合を示す斜視図〕
図２４［組立工程２−２］は、逆ラセン筒（９）の嵌合を示す斜視図で、図２３組立工程２−１の繰出容器（１）と回転体内側モジュール（４）の嵌合体に逆ラセン筒（９）を嵌合する工程を示す斜視図である。
【００９１】
〔案内突起の摺動可能嵌合（部分拡大図）を示す斜視図〕
図２５［組立工程２−２］案内突起の（８３）の摺動可能嵌合（部分拡大図）を示す斜視図で、逆ラセン筒（９）への嵌合と逆ラセン筒（９）と回転体内側モジュール（４）嵌合工程を示す部分拡大斜視図である。
図２５の左図は、逆ラセン筒（９）の連結凸部（９２）は、回転体内側モジュール（４）の連結凹部（４２）に嵌めこまれることを示している。逆ラセン筒（９）は上下方向の抜けが無いことはもちろん、横方向に回転しても外れなないように連結される。
回転体内側モジュール（４）の上端には、圧接部（繰出容器回転部（１ｂ、１２ｂ）を圧接する部分）（４３）を設け、繰出容器を回転体内側モジュール（４）に確実に固定する。
この組立工程２−２の逆ラセン筒（９）と回転体内側モジュール（４）の連結方法は、この方法に限定されない。本発明に適した連結方法であれば何れでもよい。
回転体内側モジュール嵌合部（４）には回転体内側モジュール嵌合部（４４）を設け、回転体外側モジュール（５）は、回転体内側モジュール嵌合部（４）と嵌合の際に一体となって固定し、回転体（Ｒ）を形成する。
回転体内側モジュール（４）と回転体外側モジュール（５）の固定は、この方法に限定されない。本発明の適した固定方法であれば何れでもよい。
【００９２】
図２５の右図は、回転体内側モジュール（４）と逆ラセン筒（９）との嵌合体に蓋（８）を嵌合した図で、図２７にも示すように蓋（８）の案内突起（８３）が逆ラセン体（９）の逆ラセン溝（９１）に嵌め込まれた状態を示している。
【００９３】
〔回転体外側モジュールの嵌合を示す斜視図〕
図２６［組立工程２−３］は、回転体外側モジュール（５）の嵌合を示す斜視図である。繰出容器（１）と回転内側モジュール（４）と逆ラセン筒（９）との嵌合体に回転体外側モジュール（５）を嵌合する組立工程を示している。
図２６に示す如く、回転体外側モジュール（５）の上部には、外側回転可能嵌合部（回転体外側モジュール（５）側）（５ａ）を設ける。図９で述べた如く、また、後（図２８）で述べる把持体外側モジュール（２）との回転可能な嵌合のためである。
【００９４】
〔蓋（８）の嵌合を示す斜視図〕
図２７［組立工程２−４］は、蓋（８）の嵌合を示す斜視図である。
繰出容器（１）と回転体内側モジュール（４）と逆ラセン筒（９）と回転体外側モジュール（５）との嵌合体に、蓋（８）を嵌合する組立工程を示している。
【００９５】
〔把持体外側モジュールの嵌合を示す斜視図〕
図２８［組立工程２−５］は、把持体外側モジュール（２）の嵌合を示す斜視図である。
繰出容器（１）と回転体内側モジュール（４）と逆ラセン筒（９）と回転体外側モジュール（５）と蓋（８）との嵌合体に把持体外側モジュール（２）を嵌合する組立工程を示している。
図９にも示した如く、把持体外側モジュール（２）には、外側回転可能嵌合部（把持体外側モジュール（２）側）（２ａ）設け、既に組み込まれている回転体外側モジュール（５）の外側回転可能嵌合部（回転体外側モジュール（５）側）（５ａ）と回転可能に嵌合し、外側回転可能嵌合部（５ｃ（Ｆ２））を形成する。
回転可能な嵌合はこの例に限定されない。本発明に適した回転可能な嵌合であれば何れでもよい。
【００９６】
〔上部ラセンタイプ繰出容器以外の繰出容器についての説明〕
以上、上部ラセンタイプ繰出容器を例に本発明の繰出容器開閉容器について述べた。上部ラセンタイプ繰出容器以外の繰出容器について説明する。
ねじ棒タイプ繰出容器は、上部ラセンタイプ繰出容器開閉装置をそのまた応用できる。
下部ラセンタイプ繰出容器も本発明の基本構造とおなじであるが、該下部ラセンタイプ繰出容器のラセン部分が中皿の下部にある場合、下部ラセン部品などを回転体内側モジュール（４）として用いる。
【図面の簡単な説明】
【００９７】
【図１】繰出容器の基本構造と基本機能〜１（繰出時）
【図２】繰出容器の基本構造と基本機能〜２（繰戻時）
【図３】繰出容器の概要図
【図４】本発明の繰出容器開閉装置の構成を示す図
【図５】本発明の繰出容器開閉装置を上部ラセンタイプ繰出容器に応用した構成を示す図
【図６】本発明の把持体と回転体構成を示す図７〜８のイ−イ線と図２１〜２２のロ−ロ線の断面図
【図７】本発明の上部ラセンタイプ繰出容器開閉装置を順及び逆回転方向に開閉時の各部品の動きを示す図
【図８】本発明の上部ラセンタイプ繰出容器開閉装置を順及び逆回転方向に開閉時の各部品の動きを示す断面図で、図７の一部の拡大図
【図９】把持体外側モジュールと回転体外側モジュールの嵌合を示す断面図
【図１０】上部ラセンタイプ繰出容器の部品とその組立工程と被繰出物を中皿に載置する工程を示す図
【図１１】同上
【図１２】把持体と回転体を示す斜視図
【図１３】［組立工程１−１］回転体内側モジュールへの繰出容器の嵌合（圧接）を示す斜視図
【図１４】［組立工程１−２］環状はすば歯車の嵌合を示す斜視図
【図１５】［組立工程１−２］環状はすば歯車の嵌合（部分拡大図）を示す斜視図
【図１６】［組立工程１−３］回転体外側モジュールの嵌合を示す斜視図
【図１７】［組立工程１−４］蓋の嵌合を示す斜視図
【図１８】［組立工程１−５］把持体外側モジュールの嵌合を示す斜視図
【図１９】本発明の逆ラセン筒を用いた繰出容器開閉装置の構成を示す図
【図２０】本発明の逆ラセン筒を用いた上部ラセンタイプ繰出容器開閉装置の構成を示す図
【図２１】本発明の逆ラセン筒を用いた上部ラセンタイプ繰出容器開閉装置の各部品の動きを示す図
【図２２】本発明の逆ラセン筒を用いた上部ラセンタイプ繰出容器開閉装置の各部品の動きを示す断面図で、図２１の一部の拡大図
【図２３】［組立工程２−１］回転体内側モジュールへの繰出容器の嵌合（圧接）を示す斜視図
【図２４】［組立工程２−２］逆ラセン筒の嵌合を示す斜視図
【図２５】［組立工程２−２］案内突起の摺動可能な嵌合（部分拡大図）を示す斜視図
【図２６】［組立工程２−３］回転体外側モジュールの嵌合を示す斜視図
【図２７】［組立工程２−４］蓋の嵌合を示す斜視図
【図２８】［組立工程２−５］把持体外側モジュールの嵌合を示す斜視図
【図２９】図４の中央部分の拡大図
【図３０】図５の中央部分の拡大図
【図３１】図１９の中央部分の拡大図
【図３２】図２０の中央部分の拡大図
【図３３】図２１の上側部分の拡大図
【図３４】図２１の下側部分の拡大図
【符号の説明】
【００９８】
Ａ  繰出容器
Ｂ  回転駆動機構
Ｃ  往復駆動機構
Ｄ  開閉駆動機構
Ｈ  把持体
Ｒ  回転体
Ｆ１（１３ｃ）  内側回転可能嵌合部
Ｆ２（５ｃ）  外側回転可能嵌合部
Ｓ１  隙間１
（把持体外側モジュール（２）と中筒（１３）との間の隙間）
Ｓ２  隙間２
（回転体内側モジュール（４）と回転体外側モジュール（５）との間の隙間）
Ｓ  ストローク（開閉時のはすばラック（６２）下端の往復移動距離）
ｙ  ラック繰出距離
ｚ  蓋繰出距離
１００  繰出容器開閉装置
１    繰出容器
１ａ  本体
１ｂ（１２ｂ）  回転部（上部ラセンタイプ繰出容器、及び、下部ラセンタイプ繰出容器における袴筒、並びに、ねじ棒タイプ繰出容器における筒状ハンドルに相当する。）
１ｃ（１８）  被繰出物
１２    ガイド筒
１２ａ  ガイド孔
１２ｂ（１ｂ）  回転部
１３    中筒
１３ａ  内側回転可能嵌合凸部
１３ｂ  内側回転可能嵌合凹部
１３ｃ（Ｆ１）  内側回転可能嵌合部
１３ｄ  ラセン溝
１５    底孔
１９    中皿
１９ａ  中皿突起
１８    被繰出物
１８’  口紅
１８ａ  紅筆
２    把持体外側モジュール
５ａ  外側回転可能嵌合部（回転体外側モジュール（５）側）
２ａ  外側回転可能嵌合部（把持体外側モジュール（２）側）
５ｃ（Ｆ２）  外側回転可能嵌合部
２１    開口部
２２    摺動可能嵌合凹部
２３    回止部材
２４    壁体
４    回転体内側モジュール
４２    連結凹部
４３    圧接部（繰出容器回転部（１ｂ、１２ｂ）を圧接する部分）
４４    回転体内側モジュール嵌合部
５    回転体外側モジュール
５ａ  外側回転可能嵌合部（回転体外側モジュール（５）側）
２ａ  外側回転可能嵌合部（把持体外側モジュール（２）側）
５ｃ（Ｆ２）  外側回転可能嵌合部
６    蓋
６１    舌部
６２    はすばラック
６３    ラック側はすば
６４    摺動可能嵌合凸部
７    環状はすば歯車
７１    歯車側はすば
７２    連結凸部
８    蓋
８１    舌部
８２    柱部
８３    案内突起
８４    摺動可能嵌合凸部
８５    挟持リング
９    逆ラセン筒
９１    逆ラセン溝
９１ａ  逆ラセン溝始点
９１ｂ  逆ラセン溝中間点
９１ｃ  逆ラセン溝終点
９２    連結凸部
【図１】
2010178917.tif 000003
【図２】
2010178917.tif 000004
【図３】
2010178917.tif 000005
【図４】
2010178917.tif 000006
【図５】
2010178917.tif 000007
【図６】
2010178917.tif 000008
【図７】
2010178917.tif 000009
【図８】
2010178917.tif 000010
【図９】
2010178917.tif 000011
【図１０】
2010178917.tif 000012
【図１１】
2010178917.tif 000013
【図１２】
2010178917.tif 000014
【図１３】
2010178917.tif 000015
【図１４】
2010178917.tif 000016
【図１５】
2010178917.tif 000017
【図１６】
2010178917.tif 000018
【図１７】
2010178917.tif 000019
【図１８】
2010178917.tif 000020
【図１９】
2010178917.tif 000021
【図２０】
2010178917.tif 000022
【図２１】
2010178917.tif 000023
【図２２】
2010178917.tif 000024
【図２３】
2010178917.tif 000025
【図２４】
2010178917.tif 000026
【図２５】
2010178917.tif 000027
【図２６】
2010178917.tif 000028
【図２７】
2010178917.tif 000029
【図２８】
2010178917.tif 000030
【図２９】
2010178917.tif 000031
【図３０】
2010178917.tif 000032
【図３１】
2010178917.tif 000033
【図３２】
2010178917.tif 000034
【図３３】
2010178917.tif 000035
【図３４】
2010178917.tif 000036